(57)【特許請求の範囲】
【請求項１】
プレート周縁に当該プレートと垂直状となるように折り曲げられる多数の爪を有していて、前記爪を折り曲げて上下方向又は左右方向に相隣接する発泡スチロールブロック間に突き刺すことにより、前記発泡スチロールブロック相互を緊結固定することができる発泡スチロールブロック用緊結プレートにおいて、
当該プレート周縁の前記爪の基部に切欠部分が形成されていることを特徴とする発泡スチロールブロック用緊結プレート。
【請求項２】
当該プレート周縁の対向位置に突片が延設されていることを特徴とする請求項１記載の発泡スチロールブロック用緊結プレート。
【請求項３】
当該プレートの中央に貫通孔が形成されていることを特徴とする請求項１記載の発泡スチロールブロック用緊結プレート。
【請求項４】
前記爪が当該プレートの両面側に折り曲げられていることを特徴とする請求項１記載の発泡スチロールブロック用緊結プレート。
【請求項５】
前記爪が当該プレートの一方面側にのみ折り曲げられていることを特徴とする請求項１記載の発泡スチロールブロック用緊結プレート。
【請求項６】
前記爪の先端が丸く形成されていることを特徴とする請求項１記載の発泡スチロールブロック用緊結プレート。
【発明の詳細な説明】
【０００１】
【発明の属する利用分野】
本発明は、上下方向又は左右方向に相隣接する発泡スチロールブロック相互を緊結固定することができる発泡スチロールブロック用緊結プレートに関する。
【０００２】
【従来の技術】
従来、上下方向又は左右方向に相隣接する発泡スチロールブロック相互を緊結することができる緊結プレートとしては、意匠登録第８１５７９４号公報あるいは意匠登録第８１５７９４の類似１号公報に示されたものがある。図８に示す緊結プレート１は、多数の爪２が当該プレート１の両面側にジグザグ状に連なって設けられているものであり、図９に示す緊結プレート１は、多数の爪２を当該プレート１の一方面側だけに設けたものである。これらの緊結プレート１は、図１０や図１１に示すように、緊結プレート１の爪２を上下方向又は左右方向に相隣接する発泡スチロールブロックＢ間に突き刺すことにより、前記発泡スチロールブロックＢ相互を緊結固定できるようになっている。
【０００３】
【発明が解決しようとする課題】
ところが、これらの緊結プレート１は、いずれも爪２がプレート１の各辺からそのまま立ち上がるように折り曲げられているので、当該プレート１を発泡スチロールブロックＢに突き刺したとき、爪２によって削られた同発泡スチロールブロックＢの屑が爪２と爪２との間に入り込んでしまい、当該緊結プレート１と発泡スチロールブロックＢとの間には隙間が生じることがあった。
【０００４】
緊結プレート１と発泡スチロールブロックＢとの間に隙間が生じた場合には、当該発泡スチロールブロックＢに振動等の外力が加わることで、プレート１の爪２が発泡スチロールブロックＢから容易に抜け出てしまうという不具合が生じることもあった。また、緊結プレート１と発泡スチロールブロックＢとの間に隙間が生じることで、発泡スチロールブロックＢ相互間にも隙間ができ、密着した状態で発泡スチロールブロックＢ相互の緊結固定ができないケースも生じていた。発泡スチロールブロックＢ相互は、当該緊結プレートによる緊結力とは別に、発泡スチロールブロックＢ相互に作用する摩擦力が加わって、より効果的にズレ防止がなされるのであるが、発泡スチロールブロックＢ相互間に隙間ができることで、発泡スチロールブロックＢ相互に作用する摩擦力によるズレ防止が期待できなくなり、構造の安定性という点からも問題があった。
【０００５】
本発明は、このような事情に鑑みなされたものであり、当該緊結プレートと発泡スチロールブロックとの間に隙間が生じることなく、相隣接した発泡スチロールブロック相互を緊結固定することができる緊結プレートを提供することを目的とするものである。
【０００６】
【課題を解決するための手段】
上記目的を達成するため、請求項１記載の発明は、プレート周縁に当該プレートと垂直状となるように折り曲げられる多数の爪を有していて、前記爪を折り曲げて上下方向又は左右方向に相隣接する発泡スチロールブロック間に突き刺すことにより、前記発泡スチロールブロック相互を緊結固定することができる発泡スチロールブロック用緊結プレートにおいて、
当該プレート周縁の前記爪の基部に切欠部分が形成されていることを特徴とする発泡スチロールブロック用緊結プレートをその要旨とした。
【０００７】
請求項２記載の発明は、当該プレート周縁の対向位置に突片が延設されていることを特徴とする発泡スチロールブロック用緊結プレートをその要旨とした。
【０００８】
請求項３記載の発明は、当該プレートの中央に貫通孔が形成されていることを特徴とする発泡スチロールブロック用緊結プレートをその要旨とした。
【０００９】
請求項４記載の発明は、爪が当該プレートの両面側に折り曲げられていることを特徴とする発泡スチロールブロック用緊結プレートをその要旨とした。
【００１０】
請求項５記載の発明は、爪が当該プレートの一方面側にのみ折り曲げられていることを特徴とする発泡スチロールブロック用緊結プレートをその要旨とした。
【００１１】
請求項６記載の発明は、爪の先端が丸く形成されていることを特徴とする発泡スチロールブロック用緊結プレートをその要旨とした。
【００１２】
【発明の実施の形態】
以下、本発明の発泡スチロールブロック用緊結プレート（以下緊結プレートという）について、図面に示した実施の形態に従って更に詳しく説明する。本発明の緊結プレートは、緊結プレート周縁の爪の基部に切欠部分を形成した点を最大の特徴とするものである。
【００１３】
図５は、本発明の緊結プレート２１を展開した状態を示したものである。図５に示す展開された緊結プレート１１は、各辺（周縁）をジグザグ状に切り欠くことで、各辺左右に各３つずつの爪部分１２が形成されている。各爪部分１２は、いずれも同じ形状、大きさに設けられいる。また緊結プレート１１の各辺（周縁）の対向位置には突片１３、１３が延設されている。また、緊結プレート１１の中央には貫通孔１４が形成されている。
【００１４】
そして、前記爪部分１２を折り線１５に沿って当該緊結プレート１１の上側と下側の両面側に、または上側または下側の一方面側だけに折り曲げることで、図１または図３に示す爪２２が形成されているのである。図１に示す態様では、緊結プレート２１の各コーナーの上面側と下面側とに各々折り曲げられた爪２２が形成されている。図４に示す態様は、すべての爪２２が上面側に折り曲げられている。
【００１５】
また、図５のプレート１１の爪部分１２に示す折り線１５は、プレート１１の切欠部分の最奥よりも外側に設けてあり、この折り線１５に沿って爪部分１２をプレート１１と垂直状となるように折り曲げることで、図１または図３に示す緊結プレート２１の各爪２２の基部に切欠部分２５が形成されている。
【００１６】
このように構成された緊結プレート２１は、図２または図４に示すように、上下方向又は左右方向に相隣接する発泡スチロールブロック（以下単にブロックという）Ｂ間に爪２２を突き刺したとき、爪２２によって削られたブロックＢの屑は、爪２２の基部、すなわち緊結プレート２１周縁に形成した切欠部分２５から抜け落ちてしまうので、同屑が緊結プレート２１とブロックＢとの間に介在して隙間が生じることはない。
【００１７】
また、図１及び図３に示す態様の場合、上下方向又は左右方向に相隣接するブロックＢ間に爪２２を突き刺して、ブロックＢ相互を緊結固定したとき、緊結プレート２１の対向する二辺に設けた突片２３が相隣接するブロックＢに当たるので、ブロックＢ相互の安定化が計られることになる。また、この緊結プレート２１の中央に形成された貫通孔２４は、アンカー（図示しない）を挿入するための孔として利用できるようになっている。
【００１８】
尚、本発明の緊結プレートの素材や形状はまったく任意である。例えば緊結プレートの素材としては、鉄などの金属の他にプラスチック製のものも使用することができる。また、緊結プレートの形状としては、図６に示す円盤状や図７に示す三角形状のもの、その使用箇所や使用形態に応じて、台形や菱型形状、楕円形状のものであっても良い。また、図面に示すように、爪の先端を丸く形成してもよい。この場合、作業時に誤って当該緊結プレートを踏みつけたとしても、爪の先端が丸くなっているので、足に怪我をすることはない。
【００１９】
また、緊結プレートの爪の大きさや数、配置場所についても任意である。例えば図１の緊結プレート２１では、当該緊結プレート２１の各辺左右に３つずつ爪２２が設けられているが、３つ並んだ爪２２のうち、真ん中の１つについて他の爪２２よりも大きく（長く）するなど、自由に変更することができる。
【００２０】
また、本発明の緊結プレートでは爪の基部に切欠部分が形成されているが、この切欠部分の大きさや形状は、爪の大きさ、長さ（高さ）、あるいは緊結プレートの大きさや形状に応じて適宜決定することができる。
【００２１】
【発明の効果】
本発明の緊結プレートにあっては、上下方向又は左右方向に相隣接するブロック間に爪を突き刺したとき、爪によって削られたブロックの屑が、爪の基部、すなわち緊結プレート周縁に形成した切欠部分から抜け落ちてしまうので、同屑が緊結プレートとブロックとの間に介在して隙間が生じることはない。このため、緊結固定されたブロックに振動等の外力が加わったところで、緊結プレートの爪がブロックから容易に抜け出てしまうという不具合も生じ難い。
【００２２】
また本発明の緊結プレートにあっては、ブロックとの間には隙間が生じないので、ブロック相互間にも隙間ができ難く、このため、ブロック相互が密着した状態で緊結固定されることになり、当該緊結プレートによる緊結力とは別に、ブロック相互に作用する摩擦力が加わって、より効果的なズレ防止構造を実現できる。
【図面の簡単な説明】
【図１】緊結プレートの上側と下側の両面側に爪が折り曲げられている態様を示した斜視図。
【図２】図１に示す緊結プレートを用いてブロック相互を緊結固定した状態を示す断面図。
【図３】緊結プレートの上側のみの一方面側に爪が折り曲げられている態様を示した斜視図。
【図４】図３に示す緊結プレートを用いてブロック相互を緊結固定した状態を示す断面図。
【図５】本発明の緊結プレートを展開した状態を示した平面図。
【図６】本発明の緊結プレートのさらに別の態様を示した斜視図。
【図７】本発明の緊結プレートのさらに別の態様を示した斜視図。
【図８】従来の緊結プレートを示す斜視図。
【図９】従来の別の緊結プレートを示す斜視図。
【図１０】図８に示す緊結プレートを用いてブロック相互を緊結固定した状態を示す断面図。
【図１１】図９に示す緊結プレートを用いてブロック相互を緊結固定した状態を示す断面図。
【符号の説明】
２１・・・緊結プレート
２２・・・爪
２３・・・突片
２４・・・貫通孔
２５・・・切欠部分
【図１】
0003899478.tif 000002
【図２】
0003899478.tif 000003
【図３】
0003899478.tif 000004
【図４】
0003899478.tif 000005
【図５】
0003899478.tif 000006
【図６】
0003899478.tif 000007
【図７】
0003899478.tif 000008
【図８】
0003899478.tif 000009
【図９】
0003899478.tif 000010
【図１０】
0003899478.tif 000011
【図１１】
0003899478.tif 000012